【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
少なくとも２つの金属層、及び
少なくとも２つの金属層の間に配置された少なくとも１つの繊維層を備える繊維‐金属積層材であって、
少なくとも１つの繊維層が、樹脂マトリックスと、約２７０ＧＰａよりも大きい弾性係数を有する有機ポリマー繊維とを含む、繊維‐金属積層材。
【請求項２】
少なくとも１つの繊維層が、少なくとも２つの金属層に結合されている、請求項１の積層材。
【請求項３】
有機ポリマー繊維が該金属層とガルバニック反応を起こさないものである、請求項１の積層材。
【請求項４】
有機ポリマー繊維がポリジイミダゾピリジニレン繊維を含む、請求項１の積層材。
【請求項５】
前記ポリジイミダゾピリジニレン繊維がポリ｛２，６‐ジイミダゾ［４，５‐ｂ４’，５’‐ｅ］ピリジニレン‐１，４（２，５‐ジヒドロキシ）フェニレン｝繊維を含む、請求項４の積層材。
【請求項６】
少なくとも２つの金属層がアルミニウム合金を含む、請求項１の積層材。
【請求項７】
アルミニウム合金が熱処理可能なアルミニウム合金を含む、請求項１の積層材。
【請求項８】
アルミニウム合金が２０２４アルミニウム合金、７０７５アルミニウム合金、７０５５アルミニウム合金、２０００系アルミニウム合金、７０００系アルミニウム合金、５０００系アルミニウム合金および６０００系アルミニウム合金の群から選択される、請求項６の積層材。
【請求項９】
少なくとも２つの金属層がチタン合金またはステンレス鋼合金を含む、請求項１の積層材。
【請求項１０】
樹脂マトリックスがエポキシ樹脂または熱硬化性材料を含む、請求項１の積層材。
【請求項１１】
少なくとも２つの金属層が、該積層材の重量の４０％未満を構成する、請求項１の積層材。
【請求項１２】
少なくとも２つの金属層が、該積層材の体積の約１０％〜５０％を構成する、請求項
１の積層材。
【請求項１３】
繊維の少なくとも一部が、実質的に同じ方向に並べられている、請求項１の積層材。
【請求項１４】
繊維の９０％を超えるものが、該実質的に同じ方向に並べられている、請求項１３の積層材。
【請求項１５】
繊維の少なくとも一部が互いに対して４５°で並べられている、請求項１の積層材。
【請求項１６】
繊維の少なくとも一部が複数の方向に並べられている、請求項１の積層材。
【請求項１７】
繊維が連続繊維を含む、請求項１の積層材。
【請求項１８】
少なくとも２つの金属層が３〜１５の層を含む、請求項１の積層材。
【請求項１９】
少なくとも１つの繊維層が３〜１５層の繊維を含む、請求項１の積層材。
【請求項２０】
少なくとも２つの金属層がそれぞれ約０．００４インチ〜０．０２５インチの厚みを有する、請求項１の積層材。
【請求項２１】
少なくとも２つの金属層が表面の前処理を受けている、請求項１の積層材。
【請求項２２】
前処理がリン酸陽極酸化を含む、請求項２１の積層材。
【請求項２３】
前処理が少なくとも２つの金属層を相間層で被覆することを含む、請求項２１の積層材。
【請求項２４】
前処理がゾル‐ゲル表面処理を含む、請求項２３の積層材。
【請求項２５】
少なくとも１つの繊維層が接着剤で結合されている、請求項２の積層材。
【請求項２６】
少なくとも２つの金属層の間に配置される少なくとも１つのコア層をさらに備える、請求項１の積層材。
【請求項２７】
コア層がハニカムコアを含む、請求項２６の積層材。
【請求項２８】
少なくとも２層のアルミニウム合金、及び
少なくとも２層の間に結合された少なくとも１つの樹脂‐繊維複合材を備える繊維‐金属積層材であって、
前記複合材が、樹脂マトリックスとポリジイミダゾピリジニレン繊維とを含む、繊維‐金属積層材。
【請求項２９】
ポリジイミダゾピリジニレン繊維がポリ｛２，６‐ジイミダゾ［４，５‐ｂ４’，５’
‐ｅ］ピリジニレン‐１，４（２，５‐ジヒドロキシ）フェニレン｝繊維を含む、請求
項２８の積層材。
【請求項３０】
アルミニウム合金が熱処理可能なアルミニウム合金を含む、請求項２８の積層材。
【請求項３１】
アルミニウム合金が２０２４アルミニウム合金、７０７５アルミニウム合金、７０５５アルミニウム合金、２０００系アルミニウム合金、７０００系アルミニウム合金、５０００系アルミニウム合金および６０００系アルミニウム合金の群から選ばれる、請求項３０の積層材。
【請求項３２】
少なくとも１つの樹脂‐繊維複合材が、接着剤により、該少なくとも２つの層の間に結合されている、請求項２８の積層材。
【請求項３３】
樹脂マトリックスがエポキシ樹脂または熱硬化性材料を含む、請求項２８の積層材。
【請求項３４】
少なくとも２つの金属層が、該積層材の重量の４０％未満を構成する、請求項２８の積層材。
【請求項３５】
少なくとも２つの金属層が、該積層材の体積の約１０％〜５０％を構成する、請求項２８の積層材。
【請求項３６】
繊維の約９０％を超えるものが、実質的に同じ方向に並べられている、請求項２８の積層材。
【請求項３７】
繊維の少なくとも一部が互いに対して４５°で並べられている、請求項２８の積層材。
【請求項３８】
繊維の少なくとも一部が複数の方向に並べられている、請求項２８の積層材。
【請求項３９】
少なくとも２つの金属層が３〜１５の金属層を含む、請求項２８の積層材。
【請求項４０】
少なくとも１つの繊維層がポリマー繊維からなる３〜１５の補強層を含む、請求項２８の積層材。
【請求項４１】
少なくとも２つの金属層がそれぞれ０．００４インチ〜０．０２５インチの厚みを有する、請求項２８の積層材。
【請求項４２】
少なくとも２つの金属層が表面の前処理を受けている、請求項２８の積層材。
【請求項４３】
前処理がリン酸陽極酸化またはゾル‐ゲル表面処理を含む、請求項４２の積層材。
【請求項４４】
前処理が該少なくとも２つの金属層を相間層で被覆することを含む、請求項４２の積層材。
【請求項４５】
少なくとも２つの金属層の間に配置される少なくとも１つの中空コア層をさらに備える、請求項２８の積層材。
【請求項４６】
中空コア層がハニカムコアを含む、請求項４５の積層材。
【請求項４７】
ハニカムコアが六角形のハニカムコアを含む、請求項４６の積層材。
【請求項４８】
約０．００４インチ〜約０．０２５インチの範囲の厚みをそれぞれ有する少なくとも２つのアルミニウム合金箔層、及び
該少なくとも２つの箔層の間に結合された少なくとも１つのポリマー複合材料層を備える航空機用複合部材であって、
該複合材料層が、樹脂マトリックスと、配列されたポリジイミダゾピリジニレン繊維とを含む、航空機用複合部材。
【請求項４９】
ポリジイミダゾピリジニレン繊維がポリ｛２，６‐ジイミダゾ［４，５‐ｂ４’，５’‐ｅ］ピリジニレン‐１，４（２，５‐ジヒドロキシ）フェニレン｝繊維を含む、請求項４８の複合部材。
【請求項５０】
該アルミニウム合金が２０２４アルミニウム合金、７０７５アルミニウム合金および７０５５アルミニウム合金の群から選ばれる、請求項４８の複合部材。
【請求項５１】
樹脂マトリックスがエポキシ樹脂を含む、請求項４８の複合部材。
【請求項５２】
少なくとも２つの金属層が、該積層材の重量の４０％未満を構成する、請求項４８の複合部材。
【請求項５３】
少なくとも２つの金属層が、該積層材の体積の約１０％〜５０％を構成する、請求項４８の複合部材。
【請求項５４】
繊維の９０％を超えるものが、実質的に同じ方向に並べられている、請求項４８の複合部材。
【請求項５５】
繊維の少なくとも一部が互いに対して４５°で並べられている、請求項４８の複合部材。
【請求項５６】
繊維の少なくとも一部が複数の方向に並べられている、請求項４８の複合部材。
【請求項５７】
少なくとも２つの金属層が３〜１５の層を含む、請求項４８の複合部材。
【請求項５８】
少なくとも１つのポリマー複合材料層が３〜１５のポリマー複合材料層を含む、請求項４８の複合部材。
【請求項５９】
少なくとも２つの金属層が表面の前処理を受けている、請求項４８の複合部材。
【請求項６０】
前処理がリン酸陽極酸化を含む、請求項５９の複合部材。
【請求項６１】
前処理がゾル‐ゲル表面処理を含む、請求項５９の複合部材。
【請求項６２】
少なくとも２つの金属層と該少なくとも１つのポリマー複合材料層との間に配置される少なくとも１つのゾル‐ゲル相間層をさらに備える、請求項４８の複合部材。
【請求項６３】
少なくとも２つの金属層の間に配置される少なくとも１つのコア層をさらに備える、請求項４８の複合部材。
【請求項６４】
少なくとも１つのコア層がハニカムコアを含む、請求項６３の複合部材。
【請求項６５】
複数の金属層を設けること、
約２７０ＧＰａよりも大きな弾性係数を有する複数のポリマー繊維を並べて少なくとも１つの繊維層にすること、及び
前記複数の金属層の間に該少なくとも１つの繊維層を挟むことを備える、繊維‐金属積層材の製造方法。
【請求項６６】
少なくとも１つの高弾性率繊維層を、該高弾性率繊維層に隣接する該複数の金属層に結合することをさらに備える、請求項６５の方法。
【請求項６７】
複数の金属層を前処理することをさらに備える、請求項６５の方法。
【請求項６８】
前処理することが、ゾル‐ゲルコーティングで前処理することを含む、請求項６７の方法。
【請求項６９】
ポリジイミダゾピリジニレン繊維がポリ｛２，６‐ジイミダゾ［４，５‐ｂ４’，５’‐ｅ］ピリジニレン‐１，４（２，５‐ジヒドロキシ）フェニレン｝繊維を含む、請求項６５の方法。
【請求項７０】
該複数の金属層がアルミニウム合金、チタン合金、およびステンレス鋼合金の群から選ばれる、請求項６５の方法。
【請求項７１】
樹脂マトリックスがエポキシ樹脂を含む、請求項６５の方法。
【請求項７２】
少なくとも２つの金属層が、該積層材の重量の４０％未満を構成する、請求項６５の方法。
【請求項７３】
少なくとも２つの金属層が、該積層材の体積の約１０％〜５０％を構成する、請求項６５の方法。
【請求項７４】
複数の金属箔層の間に中空コアを形成することをさらに備える、請求項６５の方法。
【請求項７５】
中空コアを形成することが、ハニカムコアを形成することを含む、請求項７４の方法。
【請求項７６】
複数の金属層を設けること、
約２７０ＧＰａよりも大きな弾性係数を有する複数のポリマー繊維を並べて少なくとも１つの繊維層にすること、及び
前記複数の金属層の間に該少なくとも１つの繊維層を挟むことを備える方法により製造された繊維‐金属積層材
【請求項７７】
少なくとも１つの高弾性率繊維層を、該高弾性率繊維層に隣接する該複数の金属層に結合することをさらに備える該方法により製造された、請求項７６の積層材。
【請求項７８】
複数の金属層を前処理することをさらに備える該方法により製造された、請求項７６の積層材。
【請求項７９】
前処理することが、ゾル‐ゲルコーティングで前処理することを含む、請求項７８の積層材。